(57)【要約】【課題】印刷用紙の裏表を自動反転する機構、既印刷面、未印刷面を判断するセンサなどの複雑な装置を必要とせずに裏紙印刷における第３者の印字データに付加情報を印刷する画像形成装置を提供する。【解決手段】  印刷実行部２０で片面印刷した印刷ジョブの印刷枚数を含むジョブ履歴を印刷ジョブ管理部１７に保存し、片面印刷が裏紙で行われた場合、ユーザは自分の印刷ジョブの印刷面の裏面に印刷されていた既印刷面に付加情報を印刷させるために、印刷結果を再度トレイに収納し、表示／操作部１６に表示されるジョブ履歴から先に行った片面印刷の印刷ジョブが選択されると、その印刷ジョブの枚数だけトレイに収納された印刷結果の既印刷面に付加情報が印刷される。【選択図】図１
2010197602.tif 000002
【特許請求の範囲】
【請求項１】
片面印刷したジョブの印刷枚数を含む印刷ジョブ履歴を保存する履歴保存手段と、
付加情報印刷モードの起動操作に応じて、印刷ジョブ履歴が保存されているジョブを読み出して選択可能に表示する表示手段と、
付加情報印刷に用いる付加情報を生成する手段と、
前記表示手段により表示されるジョブの中から選択されたジョブの枚数分、前記付加情報生成手段により生成された付加情報を付加して印刷を行う印刷制御手段と
を具備する画像形成装置。
【請求項２】
前記表示手段により表示されるジョブの中から選択されたジョブの付加情報印刷対象頁の指定を受付ける手段
を具備し、
前記印刷制御手段は、
前記表示手段により表示されるジョブの中から選択されたジョブの、選択指定された頁に対して、前記付加情報生成手段により生成された付加情報を付加して印刷を行う
請求項１記載の画像形成装置。
【請求項３】
片面印刷の終了後、付加情報印刷を行うか否かを問合せる手段
を具備する請求項１または２記載の画像形成装置。
【発明の詳細な説明】
【技術分野】
【０００１】
本発明は、画像形成装置に関する。
【背景技術】
【０００２】
従来より、印刷用紙の資源を節約するために、用紙の片面だけが印刷されたいわゆる裏紙を使った印刷が行われる場合がある。
【０００３】
裏紙印刷は、片面だけが印刷された用紙（裏紙）の未印刷面を利用してユーザ指示の印刷ジョブを印刷することで、裏紙を廃棄せずに再利用するものである。
【０００４】
裏紙が画像形成装置に収納される際には、裏紙の未印刷面がその画像形成装置の印刷面となるように裏紙の向きが調節されて収納される。
【０００５】
特許文献１には、用紙への画像印刷を行う画像形成部と、その用紙の裏表を反転する用紙反転部と、その用紙が片面印刷済の裏紙であるか否かを判定する裏紙判定部を備え、用紙への画像印刷に際して、その用紙が裏紙であると判定された場合には、その用紙の未印刷面に所望の画像を印刷する一方で、印刷済となっていた既印刷面にその内容を隠蔽するマスクパターンを印刷する画像形成装置が提案されている。
【０００６】
また、特許文献２には、画像形成される用紙が裏紙かどうかを判断する裏紙判断手段と、この判断結果に基づいて裏紙の印刷済となっていた既印刷面に使用済みであることを示す付加情報を印字する付加情報印字手段とを備え、裏紙印刷を行った結果どちらが自分の印刷した面かが明確になるように既印刷面に付加情報を印刷する画像形成装置が提案されている。
【先行技術文献】
【特許文献】
【０００７】
【特許文献１】特開２００５−２３１１０７号公報
【特許文献２】特開２００５−０４７１２９号公報
【発明の概要】
【発明が解決しようとする課題】
【０００８】
印刷用紙の裏表を自動反転する機構、裏紙かどうかを判断する機構などの複雑な機構を必要とせずに裏紙印刷において裏紙の既印刷面に印刷された印字データに付加情報を印刷する画像形成装置を提供することを目的とする。
【課題を解決するための手段】
【０００９】
上記目的を達成する為に、請求項１の画像形成装置は、片面印刷したジョブの印刷枚数を含む印刷ジョブ履歴を保存する履歴保存手段と、付加情報印刷モードの起動操作に応じて、印刷ジョブ履歴が保存されているジョブを読み出して選択可能に表示する表示手段と、付加情報印刷に用いる付加情報を生成する手段と、前記表示手段により表示されるジョブの中から選択されたジョブの枚数分、前記付加情報生成手段により生成された付加情報を付加して印刷を行う印刷制御手段とを具備するように構成される。
【００１０】
また、請求項２の発明は、請求項１の発明において、前記表示手段により表示されるジョブの中から選択されたジョブの付加情報印刷対象頁の指定を受付ける手段を具備し、前記印刷制御手段は、前記表示手段により表示されるジョブの中から選択されたジョブの、選択指定された頁に対して、前記付加情報生成手段により生成された付加情報を付加して印刷を行うように構成される。
【００１１】
また、請求項３の発明は、請求項１または２の発明において、片面印刷の終了後、付加情報印刷を行うか否かを問合せる手段を具備するように構成される。
【発明の効果】
【００１２】
請求項１の発明によれば、用紙自動反転機構や印刷済みか否かを判断するセンサがなくても裏紙印刷における既印刷面に付加情報を印刷することができるという効果を奏する。
【００１３】
また、請求項２の発明によれば、裏紙印刷における既印刷面への付加情報の印刷を所望の頁に対して行うことができるという効果を奏する。
【００１４】
また、請求項３の発明によれば、片面印刷の終了後、ユーザに付加情報印刷の是非が問い合わされる。
【図面の簡単な説明】
【００１５】
【図１】印刷システム１の構成を示す模式図。
【図２】画像形成装置１０で行われる処理を示すフローチャート。
【図３】印刷結果を示す模式図。
【図４】付加情報印刷設定メニューを示す模式図。
【図５】画像形成装置１０で行われる処理を示すフｒ−チャート。
【図６】ページ指定画面を示す模式図。
【図７】印刷結果を示す模式図。
【図８】画像形成装置１０のフローチャート。
【発明を実施するための形態】
【００１６】
以下、本発明の実施例について添付図面を参照して詳細に説明する。
【００１７】
まず、印刷システム１について図１を参照して説明を行う。
【００１８】
図１は、印刷システム１の構成を示す模式図である。
【００１９】
印刷システム１は、印刷ジョブの送信端末となるパーソナルコンピュータ（以下、ＰＣ２と呼ぶ）と画像形成装置１０とがインタフェース３により接続されて構成される。
【００２０】
インタフェース３は、ネットワークインタフェースや、ＵＳＢ（Universal Serial Bus）などのローカルインタフェースなどである。
【００２１】
画像形成装置１０は、図１に示すように、通信インタフェース部（以下、図面と共に通信Ｉ／Ｆ部と呼ぶ）１１、制御部１２、両面印刷判定部１３、印刷データ生成部１４、付加情報生成部１５、表示／操作部１６、印刷ジョブ管理部１７、印刷ジョブ保持部１８、ＲＯＭ（Read Only Memory）１９、印刷実行部２０、収納トレイＡ（２１）、収納トレイＢ（２２）、収納トレイＣ（２３）、トレイ情報保持部２４を備える。
【００２２】
通信Ｉ／Ｆ部１１は、インタフェース３と接続され、ＰＣ２から送信される印刷ジョブを受信する。
【００２３】
制御部１２は、ＣＰＵ（Central Processing Unit）で構成され、画像形成装置１０の統括的な制御を行う。
【００２４】
両面印刷判定部１３は、印刷ジョブの印刷内容が両面印刷か片面印刷かを判定する。
【００２５】
印刷データ生成部１４は、印刷ジョブのＰＤＬ（Page Description Language）言語を解析し、印刷されるビットマップ画像を生成する。
【００２６】
付加情報生成部１５は、裏紙印刷が行われた際に、既印刷面に印刷する印刷済みマークやマスクパターン等の付加情報を生成する。
【００２７】
表示／操作部１６は、タッチパネルで構成されるユーザインタフェースであり、画像形成装置１０を操作するユーザに情報を表示し、また、そのユーザより指示を受け付ける。
【００２８】
印刷ジョブ管理部１７は、不揮発性メモリで構成され、画像形成装置１０で印刷が行われた印刷ジョブについて、その印刷ジョブを指示したユーザ名、その印刷ジョブで印刷されたドキュメント名、その印刷ジョブで印刷されたページ数を記憶管理する。
【００２９】
印刷ジョブ保持部１８は、通信Ｉ／Ｆ部１１で受信した印刷ジョブを保持するスプールの機能を果たす。
【００３０】
ＲＯＭ１９は、画像形成装置１０を動作させるファームウェア等を記憶する。
【００３１】
印刷実行部２０は、露光装置、感光体、現像装置などで構成され、印刷データ生成部１４や付加情報生成部１５で生成された画像データを収納トレイＡ（２１）、収納トレイＢ（２２）、収納トレイＣ（２３）より搬送される用紙に形成する処理を行う。
【００３２】
収納トレイＡ（２１）、収納トレイＢ（２２）、収納トレイＣ（２３）は画像が形成される用紙を収納する収納トレイであり、これらに収納された用紙が印刷実行部２０に搬送されて印刷が行われる。
【００３３】
また、収納トレイＡ（２１）には、片面のみ印刷が行われた用紙（いわゆる裏紙）が収納されており、この収納トレイから搬送されて行われる印刷は、片面のみ印刷が行われた用紙の未印刷面に印刷データ生成部１４で生成されたビットマップ画像が印刷されるいわゆる裏紙印刷となる。  このため、裏紙が収納されている収納トレイＡ（２１）からの両面印刷は行われない。  裏紙が収納される収納トレイを収納トレイＡ（２１）として説明を行うが、裏紙が収納されて裏紙印刷が行われる収納トレイは他の収納トレイであってもよい。
【００３４】
トレイ情報保持部２４は、不揮発性メモリで構成され、収納トレイＡ（２１）、収納トレイＢ（２２）、収納トレイＣ（２３）に収納されている用紙の情報を保持する。
【００３５】
トレイ情報保持部２４に保持される用紙の情報は、その用紙が裏紙か否か、両面印刷可能な用紙か否か、用紙サイズ、用紙厚さなどの情報が保持され、両面印刷判定部１３が両面印刷の可能性を判定する際などに使用される。
【００３６】
このように構成される画像形成装置１０では、収納トレイＡが指定された裏紙印刷が行われると、印刷結果の裏面の既印刷面には第３者によって形成された印刷データが印字されているので、どちらが自分の印刷した面かが分からなくならないように裏面の既印刷面に付加情報として印刷済みマークを印刷する処理が行われる。
【００３７】
また、裏紙印刷の印刷結果の裏面に印刷する付加情報は、第３者によって形成された印字データの情報漏えいを防止するマスクパターンであってもよい。
【００３８】
次に、画像形成装置１０で行われる処理について図２、図５を参照して説明を行う。
【００３９】
図２および図５は、画像形成装置１０で行われる処理を示したフローチャートである。
【００４０】
印刷システム１において、ＰＣ２を操作するユーザは、画像形成装置１０の収納トレイＡ（２１）に裏紙が収納されていることを認識せずに、ドキュメントを印刷する印刷ジョブを生成させてＰＣ２から画像形成装置１０に送らせる。
【００４１】
そして、図２に示すように、画像形成装置１０では、通信Ｉ／Ｆ部１１で、ＰＣ２より送られた印刷ジョブを受信すると（ステップ２０１）、その印刷ジョブは印刷ジョブ保持部１８に送られる。
【００４２】
そして、両面印刷判定部１３が、印刷ジョブ保持部１８に送られた印刷ジョブは片面印刷が指定されているか両面印刷が指定されているかをチェックする（ステップ２０２）。  両面印刷が指定されている印刷ジョブであった場合には、裏紙でなくかつ両面印刷が可能である用紙がセットされている収納トレイから印刷が行われる。
【００４３】
裏紙でなく両面印刷が可能である用紙がいずれの収納トレイにもセットされておらず両面印刷が不可能な場合には、両面印刷ができないことを表示／操作部１６より或いはＰＣ２に印刷不可能通知を送ることでユーザに通知して、印刷処理を停止する。
【００４４】
また、裏紙でなく両面印刷が可能である用紙がいずれの収納トレイにもセットされていなく両面印刷が不可能な場合には、印刷ジョブで指定された両面印刷を無効にして片面印刷に切り替える処理が行われてもよい。
【００４５】
両面印刷か片面印刷かがチェックされて、印刷ジョブは片面印刷が指定されていた場合には、印刷ジョブで指定されている収納トレイや画像形成装置１０で優先される収納トレイなどの任意の収納トレイより印刷が行われる。
【００４６】
ここでは、片面が既印刷面となっている裏紙が収納されている収納トレイＡ（２１）より片面印刷が行われる場合について説明を行う。
【００４７】
そして、印刷ジョブ保持部１８に保持される印刷ジョブは、印刷データ生成部１４によって、ＰＤＬ言語が解釈されて、印刷されるビットマップ画像が生成される（ステップ２０３）。
【００４８】
そして、生成されたビットマップ画像が収納トレイＡ（２１）より搬送される裏紙の未印刷面に印刷される。
【００４９】
印刷されたページ数は制御部１２によってカウントされて、印刷ジョブの印刷が終了後（ステップ２０５でＹＥＳ）、印刷ジョブ管理部１７に記憶される。
【００５０】
印刷ジョブの印刷が終了すると（ステップ２０５でＹＥＳ）、その印刷ジョブを指示したユーザ名、その印刷ジョブで印刷されたドキュメント名、その印刷ジョブで印刷されたページ数がジョブ情報として印刷ジョブ管理部１７に記憶管理される（ステップ２０６）。
【００５１】
印刷ジョブ管理部１７に記憶管理される印刷ジョブは、片面印刷された印刷ジョブだけであり、両面印刷された印刷ジョブのジョブ情報は記憶管理されない。
【００５２】
ここで、このようにして行われた裏紙印刷による印刷結果について図３を参照して説明を行う。
【００５３】
図３は、裏紙印刷によって印刷された印刷結果を示す模式図である。
【００５４】
図３に示すように、裏紙印刷によって印刷された印刷結果は、表面に印刷ジョブで指定された印刷内容であるドキュメント１の内容が印刷されているが、それぞれの裏面には、第３者によって形成された印字データが印刷された状態となる。
【００５５】
印刷結果を取得したユーザは、第３者によって形成された印字データが印刷されている裏面に対して、自分の印刷面を明確にする目的或いは裏面の印字データの情報漏えい保護の目的などにより付加情報を印刷するか否かを判断する。
【００５６】
裏面に付加情報を印刷する必要がないとユーザにより判断された場合には、処理は終了する（継続しない）。
【００５７】
そして、ユーザは表示／操作部１６より付加情報印刷設定メニューを起動する。
【００５８】
画像形成装置１０では、付加情報印刷設定メニューの起動が指示されると（ステップ２０７でＹＥＳ）、表示／操作部１６に付加情報印刷設定メニューを表示する（ステップ２０８）。
【００５９】
ここで、表示／操作部１６に表示される付加情報印刷設定メニューについて図４を参照して説明を行う。
【００６０】
図４は、表示／操作部１６に表示される付加情報印刷設定メニューについて示した模式図である。
【００６１】
付加情報印刷設定メニューには、図４に示すように、画像形成装置１０で印刷された印刷ジョブのジョブ情報が印刷ジョブ毎に表示される。
【００６２】
ジョブ情報として、付加情報印刷設定メニューには、印刷された印刷ジョブを指定したユーザ名、その印刷ジョブで印刷されたドキュメント名、その印刷ジョブで印刷されたページ数が表示される。
【００６３】
また、表示／操作部１６に表示される付加情報印刷設定メニューには、付加情報を印刷するページを指定するページ指定ボタン４０１が配置される。
【００６４】
ユーザは、付加情報印刷設定メニューに表示される印刷ジョブから、裏紙に付加情報を印刷させたい印刷結果を印刷させた印刷ジョブを選択する。
【００６５】
ユーザは裏紙印刷して得たドキュメント１が印刷された印刷結果に対して、裏面に第３者によって印刷された印字データに付加情報を印刷させたいので、付加情報印刷設定メニューよりドキュメント１が裏紙印刷された印刷ジョブを選択する。
【００６６】
表示／操作部１６は、付加情報印刷設定メニューよりユーザの選択する印刷ジョブを受け付ける（ステップ２０９）。
【００６７】
付加情報印刷設定メニューよりページ指定ボタン４０１が押下されないと（ステップ２１０でＮＯ）、（結合子Ａを介して図５のステップ２１１へ進む）付加情報が印刷される印刷結果が収納トレイにセットされる（ステップ２１１）。
【００６８】
そして、表示／操作部１６より付加情報印刷指示が行われる（ステップ２１２）。
【００６９】
付加情報が印刷される印刷結果は、ステップ２１１で収納トレイにセットされる際に、付加情報が印刷される第３者によって印刷された印字データが印刷面となるように収納トレイにセットされる。
【００７０】
ユーザからの付加情報印刷指示を表示／操作部１６より受け付けた画像形成装置１０では、付加情報生成部１５が、付加情報印刷設定メニューでユーザによって選択された印刷ジョブのページ数を印刷ジョブ管理部１７より取得する（ステップ２１３）。
【００７１】
そして、付加情報生成部１５は、取得したページ数分の付加情報を生成する（ステップ２１４）。
【００７２】
付加情報生成部１５が生成する付加情報は、どちらの面が自分が印刷した内容だと分かるように印刷済みマークを印刷する情報であってもよいし、或いは、第３者の印字データの情報漏えいを防止するマスクパターンであってもよい。
【００７３】
付加情報生成部１５で付加情報が生成されると、ステップ２１１で印刷結果がセットされた収納トレイから生成された付加情報の印刷が行われる（ステップ２１５）。
【００７４】
ステップ２１５で付加情報が印刷されると、図７（ａ）に示すように、表面には第３者の印字データに「印刷済」という付加情報が印刷されており、裏面がユーザが印刷を指示したドキュメント１が印刷されている状態となる。
【００７５】
また、ステップ２０８で表示／操作部１６に表示された付加情報印刷設定メニューより印刷ジョブが選択されて（ステップ２０９）、更に付加情報印刷設定メニュー上のページ指定ボタン４０１が押下されると（ステップ２１０でＹＥＳ）、（結合子Ｂを介して図５のステップ２２１へ進む）表示／操作部１６に付加情報印刷設定メニューのページ指定画面が表示される（ステップ２２１）。
【００７６】
ユーザは、表示／操作部１６に表示された付加情報印刷設定メニューのページ指定画面より、付加情報を印刷させるページ番号を選択する。
【００７７】
ここで、付加情報印刷設定メニューのページ指定画面について図６を参照して説明を行う。
【００７８】
図６は、付加情報印刷設定メニューのページ指定画面を示した模式図である。
【００７９】
図６に示すように、付加情報印刷設定メニューのページ指定画面では、図４を参照して説明した付加情報印刷設定メニューで選択された印刷ジョブの各ページ番号が選択可能に配置されている。
【００８０】
ユーザは、このような付加情報印刷設定メニューのページ指定画面で、裏紙印刷した印刷結果の付加情報を印刷したいページ番号を選択する。
【００８１】
ここでは、図６に示すように、２ページ目と４ページ目に付加情報が印刷されるように選択されたとして説明を行う。
【００８２】
ユーザが付加情報印刷設定メニューのページ指定画面上で選択したページ番号は、表示／操作部１６より受け付けられる（ステップ２２２）。
【００８３】
そして、付加情報が印刷される印刷結果が収納トレイにセットされて（ステップ２２３）、表示／操作部１６より付加情報印刷指示が行われる（ステップ２２４）。
【００８４】
付加情報が印刷される印刷結果は、ステップ２１１で収納トレイにセットされる際に、付加情報が印刷される第３者によって印刷された印字データが印刷面となるように、そして、印刷結果の１ページ目が最初に印刷されて印刷結果の印刷順が印刷されたときと同じに収納トレイにセットされる。
【００８５】
ユーザからの付加情報印刷指示を表示／操作部１６より受け付けた画像形成装置１０では、付加情報生成部１５が、付加情報印刷設定メニューのページ指定画面でユーザによって選択されたページ番号を取得する（ステップ２２５）。
【００８６】
そして、付加情報生成部１５は、取得したページ番号の数の枚数だけ付加情報が印刷されるように、付加情報を生成する（ステップ２２６）。
【００８７】
付加情報生成部１５が生成する付加情報は、どちらの面が自分が印刷した内容だと分かるように印刷済みマークを印刷する情報であってもよいし、或いは、第３者の印字データの情報漏えいを防止するマスクパターンであってもよい。
【００８８】
付加情報生成部１５で付加情報が生成されると、ステップ２２３で印刷結果がセットされた収納トレイから、ユーザによって選択されたページ番号に対応するページだけに付加情報が印刷される（ステップ２２７）。
【００８９】
ステップ２２７で付加情報が印刷されると、図７（ｂ）に示すように、表面のユーザが選択したページ番号（ステップ２２２でユーザは２ページ目と４ページ目を選択）のページに「印刷済」という付加情報が印刷されており、裏面にはユーザが印刷を指示したドキュメント１が印刷されている状態となる。
【００９０】
尚、画像形成装置１０は、両面印刷機構を有しない、片面印刷可能な印刷装置であってもよい。
【００９１】
画像形成装置１０が両面印刷機構を有しない場合には、画像形成装置１０は、印刷実行部２０に両面印刷機構を備えない。
【００９２】
そして、画像形成装置１０が両面印刷機構を有しない場合には、図２を参照して説明したフローチャートにおいて、ステップ２０２で印刷ジョブに両面印刷が指定されていた場合には、両面印刷が不可能な旨をユーザに通知印刷処理を停止するか、両面印刷を無効にして片面印刷に切り替える処理が行われてもよい。
【００９３】
また、画像形成装置１０は、トレイ情報保持部２４がない構成でも可能である。
【００９４】
トレイ情報保持部２４がない構成では、両面印刷判定部１３は印刷ジョブで指示された内容などに従って片面印刷、両面印刷を判断し、また、両面印刷機能を有しない画像形成装置１０の場合にもトレイ情報保持部２４がない構成を適用できる。
【００９５】
尚、図２を参照して説明した画像形成装置１０の処理では、ステップ２０６でジョブ情報が保存された後にユーザにより裏面に付加情報を印刷する必要があると判断された場合にはユーザにより付加情報印刷設定メニューが起動されるように説明したが、ステップ２０６でジョブ情報が保存された後に次のように付加情報印刷を行うか否かをユーザに尋ねる画面を表示／操作部１６より表示させて処理が行われてもよい。
【００９６】
次に、ステップ２０６の後にユーザに付加情報印刷を行うか否かを尋ねる画面が表示される処理について図８を参照して説明を行う。
【００９７】
図８は、図２のステップ２０６の後に、ユーザに付加情報印刷を行うか否かを尋ねる画面が表示される処理を行う画像形成装置１０のフローチャートである。
【００９８】
図８に示すように、ジョブ情報が保存されるステップ２０６が行われた後に、ステップ２０６で保存したジョブ情報の印刷ジョブの印刷は、裏紙が収納されている収納トレイＡ（２１）より裏紙印刷が行われたか否かが制御部１２によって確認される（ステップ８０１）。
【００９９】
収納トレイＡ（２１）より印刷が行われた場合には、制御部１２のキャッシュメモリに裏紙印刷が行われたことを示すフラグを立てておけば、ステップ２０６で保存されたジョブ情報の印刷ジョブの印刷が裏紙印刷か否かが判断可能となる。
【０１００】
そして、ステップ８０１での裏紙印刷が行われたか否かの確認後には、制御部１２のキャッシュメモリに立てられた裏紙印刷を示すフラグは外される。
【０１０１】
ステップ８０１で裏紙印刷が行われていない場合には（ステップ８０１でＮＯ）、処理は終了するが、ステップ８０１で裏紙印刷が行われたと判断された場合には（ステップ８０１でＹＥＳ）、表示／操作部１６に付加情報印刷をするかしないかをユーザに問い合わせる問合せ画面を制御部１２が表示させる（ステップ８０２）。
【０１０２】
ユーザは、表示された問合せ画面に対して、付加情報印刷をする若しくはしないの指示を表示／操作部１６より入力する。
【０１０３】
そして、問合せ画面に対するユーザの指示が、付加情報印刷をしない（ステップ８０３でＮＯ）の場合には処理は終了されるが、付加情報印刷をする（ステップ８０３でＹＥＳ）の場合には表示／操作部１６に付加情報印刷設定メニューが表示される（ステップ２０８）。
【０１０４】
ここで表示される処理は図４を参照して説明した付加情報印刷設定メニューである。
【０１０５】
そして、処理は、図２を参照して説明したようにステップ２０８の処理からユーザの選択する印刷ジョブを受け付けるステップ２０９へと続き、ステップ２０９以下、図２を参照して説明した処理が行われる。
【０１０６】
尚、図６を参照して説明した付加情報印刷設定メニューのページ指定画面において、それぞれのページのサムネイル画像を表示するように構成してもよく、そうするとページ選択が容易となる。
【産業上の利用可能性】
【０１０７】
この発明は、画像形成装置において利用可能である。
【符号の説明】
【０１０８】
１    印刷システム
１０    画像形成装置
１１    通信インタフェース
１２    制御部
１３    両面印刷判定部
１４    印字データ生成部
１５    付加情報生成部
１６    表示／操作部
１７    印刷ジョブ管理部
２０    印刷実行部
２１、２２、２３    収納トレイＡ、収納トレイＢ、収納トレイＣ
２４    トレイ情報保持部
【図１】
2010197602.tif 000003
【図２】
2010197602.tif 000004
【図３】
2010197602.tif 000005
【図４】
2010197602.tif 000006
【図５】
2010197602.tif 000007
【図６】
2010197602.tif 000008
【図７】
2010197602.tif 000009
【図８】
2010197602.tif 000010